(57)【要約】電池のような略筒状製品を収容し、製品の回転を防止する製品陳列用包装。該製品陳列用包装は、製品を収容するように適合された区画を形成するハウジングを有する容器を備える。該容器は、各々が製品を収容するように各々構成された、長さと幅とを有する複数の平行なポケットを含む。内方突出部が、製品を所定の位置に保持し、製品の回転を防止するように、第１及び第２の端部に形成される。回転を更に防止するために、追加の突出部が、製品の側壁に接触するように包装内に形成される。
2004501037.tif 000002
【特許請求の範囲】
【請求項１】
略筒状の壁を有する少なくとも１つの製品を保持するための陳列包装であって、
第１の端部と、第２の端部と、該第１の端部と第２の端部との間に伸びる側壁とを有し、且つ製品を収容するように構成された長さ及び幅を持つポケットを含む少なくとも１つの製品を収容するように適合された区画、を形成するハウジングを有する容器と、
前記製品の第１の端部に係合するために、前記ポケットの第１の端部内に形成された第１の内方突出部と、
前記ポケットの第２の端部に形成され、且つ前記製品の第２の端部に係合するように適合された第２の内方突出部と、
前記包装内に形成された第３の内方突出部と
を備え、
前記第１及び第２の内方突出部が、前記製品の回転を防止するため、前記製品を所定位置で、前記容器の側壁に接触させて保持するようになっており、前記第３の内方突出部が、前記包装内部での前記製品の回転を更に防止するために前記製品の側壁に係合することを特徴とする包装。
【請求項２】
前記容器が、透明ブリスター包装を備えることを特徴とする、請求項１に記載の包装。
【請求項３】
前記第１及び第２の内方突出部が、それぞれ弓形環状部材を備えることを特徴とする、請求項１に記載の包装。
【請求項４】
前記容器が、前記ハウジングに係合し、前記区画を閉鎖するように適合する閉止可能な蓋を更に備え、前記製品の側壁に接触するための前記第３の内方突出部が、前記閉止可能な蓋内に形成されることを特徴とする、請求項１に記載の包装。
【請求項５】
前記容器が、一体形成されたヒンジによって前記ハウジングに連結された再閉止可能蓋を更に含み、前記閉止可能蓋は、前記ハウジングに係合して前記区画を閉鎖するように適合され、前記製品の側壁に係合するよう適合された前記第３の内方突出部が、前記閉止可能蓋内に形成されていることを特徴とする、請求項１に記載の包装。
【請求項６】
前記容器に係合し支持する、一体形成された本体を有するディスプレイカードを更に備えることを特徴とする、請求項１に記載の包装。
【請求項７】
前記包装が、前記ハウジングに係合するように適合する閉止可能蓋を備え、前記容器が、前記ディスプレイカードの２つの層の間に挟まれていることを特徴とする、請求項６に記載の包装。
【請求項８】
前記包装が、複数の略筒状の電池を収容することを特徴とする、請求項１に記載の包装。
【請求項９】
略筒状の壁を有する製品を保持するための陳列包装であって、
第１の端部と、第２の端部と、該第１の端部と第２の端部との間に伸びる側壁とを各々有し、且つ製品を収容するように構成された長さ及び幅を持つ複数の実質的に平行なポケットを含む、製品を収容するように適合された区画、を形成するハウジングを有する容器と、
前記製品の第１の端部に係合するために、前記ポケットの第１の端部内に形成された第１の内方突出部と、
前記ポケットの第２の端部に形成され、且つ前記製品の第２の端部に係合するように適合された第２の内方突出部と、
前記包装内に形成された第３の内方突出部と
を備え、
前記第１及び第２の内方突出部が、前記製品の回転を防止するため、前記製品を所定位置で、且つ前記容器の側壁に接触させて保持するようになっており、前記第３の内方突出部が、前記包装内部での前記製品の回転を更に防止するために前記製品の側壁に係合することを特徴とする、陳列包装。
【請求項１０】
前記製品が、複数の略筒状の電池を含むことを特徴とする、請求項９に記載の包装。
【請求項１１】
前記容器が、透明ブリスター包装を備えることを特徴とする、請求項９に記載の包装。
【請求項１２】
前記第１及び第２の内方突出部が、それぞれ弓形環状部材を備えることを特徴とする、請求項９に記載の包装。
【請求項１３】
前記容器が、前記ハウジングに係合して前記区画を閉鎖するよう適合する閉止可能蓋を更に備え、前記製品の側壁に接触するための前記第３の内方突出部が、前記閉止可能蓋内に形成されていることを特徴とする、請求項９に記載の包装。
【請求項１４】
前記容器が、一体形成されたヒンジによって前記ハウジングに連結された再閉止可能蓋を更に含み、前記閉止可能蓋が、前記ハウジングに係合して前記区画を閉鎖するように適合され、前記製品の側壁に係合するよう適合された前記内方突出部が、前記閉止可能蓋内に形成されていることを特徴とする、請求項９に記載の包装。
【請求項１５】
前記容器に係合し支持するように一体形成された本体を有するディスプレイカードを更に備えることを特徴とする、請求項９に記載の包装。
【発明の詳細な説明】
【０００１】
（技術分野）
本発明は、一般的には、販売用に製品を陳列するための包装に関し、より詳細には、包装内部の製品を回転しないようにして消費者に陳列する、電池のような筒状製品を収容するための陳列包装に関する。
【０００２】
（背景技術）
筒状アルカリ電池のような、小型で軽量の小売品目を包装し、陳列するための一般的な方法は、該品目を熱成形ブリスター包装内に包装し、該包装を棚に置くか、あるいは種々の陳列用ラックのフックに、該包装を吊り下げることである。従来の電池包装は、一般的に、通常厚紙製の、通常堅い支持裏当てを形成するディスプレイカードと、このディスプレイカードに接着又は他の方法で取付けられる熱成形ポリマーブリスターとから構成される。ディスプレイカードは、販売商品を陳列するためのサポートを提供し、広告、商標及び取扱説明などの適切な表示が通常印刷されている。
【０００３】
電池陳列包装に関しては、消費者の購入に対して、通常同寸法の電池が、所定数の電池が入った容器の状態で入手可能となっている。電池は、通常各陳列包装内に２個、４個又は８個の電池を収容したブリスター式包装の状態で陳列され販売される。１つの電池包装方法に従えば、熱成形ブリスターは、ディスプレイカードの前側にヒートシールされた１個の透明なポリマー材料、例えばプラスチックを通常含む。他の方法によれば、電池の上に嵌合してカバーするような形状を通常有する、二枚貝形式の熱成形ポリマーブリスターが、厚紙ディスプレイカード上に支持される。この二枚貝形式のポリマーブリスターは、通常２個あり、各々は、ディスプレイカードの厚紙の２つの層の間に接着される周縁フランジを有する。ブリスターは、製品を購入者から隔離し、販売前に繰返し取り扱われることにより起こる可能性のある、製品の不慮の破損を防止する。更に、ブリスターによって、販売用の製品が購入者に対して整然と陳列されることができる。
【０００４】
製品の商品価値を最大限引出すため、製品のラベル上に印刷されたグラフィックが、容易に認識され、消費者に一層魅力的に見えるように、筒状アルカリ電池のような特定の製品をブリスター包装内で配向することは、特に製品が透明な（透過性の）ブリスター包装内に包装された場合には望ましい。従来、特定の電池包装技術では、ラベル印刷の陳列を最大限にするために、望ましい向きにブリスター包装を配置できるように、各電池上に登録マークを用いていた。しかしながら、ブリスター包装内で配向されると、電池は、その望ましい方向を維持しなければならず、従って電池の回転が防止されなければならない。
【０００５】
裏当てカードに接着されたブリスターを有し、電池の回転を防止する、ブリスター包装内に電池を包装するための１つの方法が、米国特許第５，３１１，９８９号に開示されている。上術の特許は、包装内部の電池の回転を防止するため電池の正極端子及び負極端子に係合する、ブリスターポケットの端部壁に形成された突出部の使用を開示しており、更に、異なる寸法を有する電池の係合をも可能にする。上述の方法は、ポケットの端部壁に形成される複雑な保持機構を必要とし、これにより、ブリスターの製造工程を複雑にする可能性がある。更に、この保持機構は、過度の変形に影響される可能性がある。
【０００６】
従って、消費者に販売するための筒状製品を陳列すると同時に、製品の回転を防止した製品陳列用包装に関して、これまで満たされていない必要性が存在する。ラベル印刷表示を消費者に最大限に陳列するために、筒状電池を収容すると共に電池の回転を防止した、電池陳列ブリスター包装を提供することが特に望ましい。
【０００７】
（発明の開示）
本発明は、略筒状の製品を収容し、包装内部の製品の回転を防止する製品陳列用包装を提供する。この利点及び他の利点を達成するため、及び本明細書で具体化され記述されるような本発明の目的に従って、本発明は、１つ又はそれ以上の製品を収容するように適合された区画を形成する、ハウジングを有する容器を備えた製品陳列用包装を提供する。容器は少なくとも１つのポケット、好ましくは実質的に平行な複数のポケットを有する。各ポケットは、第１及び第２の端部と、略筒状の製品を収容するように構成された長さ及び幅を持つ、第１及び第２の端部の間に延びる側壁とを有する。第１及び第２の端部はそれぞれ、ポケット内に一体形成され、製品を側壁に向かって付勢するために、製品の表面に係合するように構成された、内側に突出した保持部材を含む。保持部材は、製品を所定位置に保持し、製品の回転を防止するため、製品の端部において凹部に係合するように適合される。本発明の１つの態様によれば、１つ又はそれ以上の凹部が、容器内に形成され、製品の円筒状の側壁に係合するよう適合される。本発明の他の態様によれば、容器は、ベース、蓋、及びベースと蓋とに連結されたヒンジを有し、該蓋がベース上で閉じられたとき、ベースの外方への湾曲を打ち消すように、１つ又はそれ以上の凹部がベース内で、及びヒンジに近接して形成されている。
【０００８】
本発明のこれら及び他の特徴及び利点は、本明細書の以下の記述、特許請求項の範囲、及び添付図面を参照することにより、当業者によって更に理解され評価されるであろう。
【０００９】
（発明を実施するための最良の形態）
本明細書内の説明の目的のため、「上側」、「下側」、「右」、「左」、「後」、「前」、「垂直」、「水平」及びその派生する用語は、図１及び図１２で方向付けられるような本発明に関連付けるべきである。しかしながら、そうでない場合に特に指定しない限り、本発明は種々の代替の方向及びステップ順序をとることができることを理解されたい。添付図面及び以下の記述で説明される特定のデバイスは、添付の特許請求の範囲で定義された発明の概念の単なる例示的な実施形態であることを理解されたい。従って、此処で開示された実施形態に関する、特定の寸法及び物理的特性は、各請求項で特に別途述べられない限り、それらに限定されると考えるべきではない。
【００１０】
図１を参照すると、小売店で陳列し消費者に販売するために、単３電池２２のような複数の筒状電池を包装している、１つの実施形態による製品陳列用包装１０が示されている。図示された製品陳列用包装１０は、１つの実施形態による、４つの筒状単３電池２２を、コンビネーション・ディスプレイカード及び再閉止可能なブリスター商品容器内に収容する。電池ブリスター包装が図示され、且つ此処で説明されているが、本発明は、種々の寸法及び個数を有する略筒状の製品を収容できる製品陳列用包装を提供するものであり、それらの製品には、電池並びに、本発明の技術的思想を逸脱しない他の種類の製品を含むことができることを理解されたい。
【００１１】
製品陳列用包装１０は、実質的に平面な本体を有するディスプレイカード１２と、ディスプレイカード１２によって支持されるポリマーブリスター商品容器３０とを含む。ディスプレイカード１２は、厚紙前層１６に接着された厚紙後層１４を含む、２層の材料で構成されている。層１４及び１６は、実質的に同じ形状であり、接着剤で互いに接着された２つの別個の厚紙シートを含むことができる。あるいはまた、層１４及び１６は、下側縁部のような１つの縁部に沿って折り畳まれ、圧縮されて共に接着された単一の厚紙シートから形成されることができる。一般に、ディスプレイカード１２は、下側縁部、左側及び右側の２つの垂直縁部、及び丸みを帯びた上側縁部を含む。ディスプレイカード１２の上側縁部の近傍に形成されているのは、切り抜き開口１８であり、これにより、ディスプレイカード１２を陳列ラックのフックから吊り下げることができる。更に、ディスプレイカード１２は、当技術分野において通常実施することができるような、広告、商標及び取扱説明などの表示に関する印刷を含むことができる。
【００１２】
この実施形態で示される商品容器３０は、電池製品を収容する、再閉止及び再使用可能な透明な熱成形ブリスター容器である。商品容器３０は、主ハウジング区画の周辺の周りに形成された、中心から外方へ延びる周縁フランジ３８を有する。周縁フランジ３８は、ディスプレイカード１２の後層１４及び前層１６のそれぞれの間に挟み込まれている。商品容器３０は、ディスプレイカード１２の前層１６、或いは後層１４及び前層１６の両方に形成された開口を貫通して延びている。周縁フランジ３８は、後層１４と前層１６との間に挟み込まれ、ディスプレイカード１２に接着される、或いは接着されないものとすることができる。従って、商品容器３０は、ディスプレイカード１２が、破られて開封される前は、ディスプレイカード１２の後層１４と前層１６との間の所定位置に捕捉されている。
【００１３】
更に、製品陳列用包装１０は、図２にディスプレイカード１２から取外された状態のブリスター商品容器３０が示されている。一実施例によれば、タブ２０は、ディスプレイカード１２の後層１４のミシン目に沿って破られて、ディスプレイカード１２から容器３０を取出すことができる。図に示すように、各々の電池２２は、ブリスター容器３０内で望ましい方向に配向されている。電池２２は、公知の配向技術に基づいて、ブリスター容器３０内に配向されかつ配置されることができる。ブリスター商品容器３０は、電池２２の各々を所定位置に固定して保持し、包装組立体に続くブリスター容器３０に対する電池２２の動きを防止する。従って、電池２２の各々は、望ましい方向への配向を維持することができ、消費者に対する美的満足と消費者への最大の積極的影響力を有する電池包装１０を提供することができる。
【００１４】
一般に、図示された電池２２の各々は、電気化学的活性材料を収容するスチール缶を有する。通常、電池の缶は、密閉された底端、筒状側壁、及び開放した上端を有し、該上端は電池製造技術で公知のカバー及び密閉の組立手法を用いて密閉し閉止される。また、電池は、缶の外側の筒状壁に、電池技術で一般に知られているように、ラベルを有する。電池ラベルは、好ましくは、広告、商標、及び取扱説明のような適切な表示が入った印刷を含み、更に、参照番号２６で示される電池テスター、又は他の可視的特徴を含むことができる。製品を広告し、消費者に対する美的満足を与える製品を提供するため、電池ラベルのスペースが最大に使用されるように、電池ラベル上のスペースのかなりの量が、印刷を含むことができる。電池２２は、ラベルのある特定の特徴を表示するように配向することが好ましい。例えば、ある電池は、参照番号２４で確認される領域に、商品名やロゴ（ｌｏｇｏ）を表示するように配向されることができると同時に、１つ又はそれ以上の電池が、電池テスター２６を表示するように配向されることができる。本発明の包装１０は、包装されたときの電池の方向から電池が回転することを防止する。
【００１５】
更に、ブリスター商品容器３０は、図３に示される。商品容器３０は、前方ベースハウジング３４と、このベースハウジング３４に対して、後方蓋３６を枢転可能にする一体形成されたヒンジ４０を介して連結された後方蓋３６とを含む。後方蓋３６は、部分的に平面である後面４２を有し、これはディスプレイカード１２の後層１４に対して実質的に同一平面上に取り付けられている。後方蓋３６内に一体形成されているのは、略直方形の直立壁４４であり、この壁は、電池のような略筒状の製品の後側表面を支持する、その中に形成された区画ポケット４６を有するキャビティを形成する。
【００１６】
前方ベースハウジング３４は、略直方形の窪み壁５４を備えた部分的に平面の部材５５を有し、該壁は、後方区画ポケット４６と共に、製品をそれらの中に収容する、成形された前方区画ポケット５２を形成している。区画ポケット５２は、外方へ突き出た表面を形成しており、電池のような製品の寸法及び形状に実質的に整合する。平面部材４２及び５５は、商品容器３０が閉じられたときに、周辺区域の周りで互いに対して平坦であるように意図されている。更に、後方蓋３６は、丸いディスク様の突出したオス部材４８を有し、これは前方ベースハウジング内に形成された、四角のメス型５８内に嵌合するように適合される。丸いオス部材４８と四角のメス型５８とは、共にスナップ嵌合式閉鎖部を形成する。通常、直立壁４４は直方形であり、略直方形の窪み壁５４に収まるように適合されて、容器３０の締まりばめ閉鎖部が形成されることを理解されたい。スナップ式嵌合の追加は、閉鎖の追加手段を提供し、また、消費者に、商品容器３０が再閉止及び再使用可能であることを知らせるための識別としての機能を果たす。商品容器３０は、スナップ嵌合式閉鎖部の有無にかかわらず、前方ベースハウジング３４と後方蓋３６との間に、締まりばめ閉鎖部を備える構成とすることができる。
【００１７】
商品容器３０の前方ベースハウジング３４は、４つの単３電池をそれぞれ保持するための図示された４つのポケットのような、実質的に平行な複数のポケットを含む。通常、ポケット５２は、対応する電池２２を収容するように構成された、長さと幅を各々有するように形成される。隣接するポケット５２は、一体形成された仕切り６０によって分離されている。各ポケット５２は、電池２２の正極端子突起８０を支持するための外方突出部７０を含む。更に、内方突出部７２が、各ポケット内の一方の端部に形成され、電池２２のリム近傍位置で正極端子と係合するように適合されている。各ポケット５２の反対側の端部には、電池２２の負極端子のリム近傍の凹部に係合するように適合されている内方突出部７４がある。内方突出部７２及び７４は、対応するポケット５２に対する電池２２の回転を防止するために、ポケット５２内部で電池２２に係合し、保持するのに十分な深さに延びている。図示された実施形態によれば、内方突出部７２及び７４は、弓形凹部として通常構成される。その結果、電池２２の回転が、消費者への陳列のために望ましく包装された方向を維持するように防止される。
【００１８】
図４を参照すると、内方突出部７２及び７４と、電池２２の正極及び負極端子との係合が更に説明されている。電池２２は、ポケット５２の一方の端部に形成された、より大きい寸法の外方突出部７０内に配置される、正極端子突起８０を有する。内方突出部７２は、ラベル８６の端部に近い正極端子に係合し、且つラベル８６の端部に形成された凹部に係合することができる。同様に、電池２２の負極端部で、内方突出部７４は、電池２２の負極端子内に形成された凹部８５に係合する。内方突出部７２及び７４は、電池２２がポケット内に挿入されて、所定位置に強くはめ込まれることによって、共に保持器を提供し、その結果、内方突出部７２及び７４が、電池２２をポリマーブリスターに対して締まりばめで保持するように、電池２２の両端部を支持し、従って、ポケット５２に対する電池２２の回転が防止される。各電池２２が、強くポケット５２内の位置にはめ込まれたとき、ポケット５２の端部は、外方へに曲がり、電池の各端子が突出部７２及び７４を横切って滑動し、それらと係合ロックすることができる。
【００１９】
図４及び図５の両方に詳細に示されるように、電池２２は、突出部７２及び７４によって両端部を所定位置に保持され、更に、内方突出部７８及び７６によって側壁上で係合され、更に、包装内の電池２２の回転が防止される。図示された単３電池包装について、内方突出部７２は、電池２２の陽極端子（カバー）に、正極端子の突出環状リム８２と中央突起８０との間で係合する。内方突出部７２は、ラベル８６の端部に接触することが好ましい。内方突出部７４は、電池２２の負極カバー内の凹部８５に、負極カバーの突出環状リム８４と中央領域との間で係合する。突出部７４は、電池の側壁がブリスターポケット５２に向かって押し付けられるように、環状リム８４の内方縁に接触するのが好ましい。その結果、各電池２２の両端部（正極端部及び負極端部）は、ブリスター包装に接触した状態で保持され、且つ側壁が、ブリスター材料に対して押し付けられて、ブリスター包装に対する電池２２の回転が防止される。
【００２０】
後方蓋３６の後方区画ポケット４６内に形成された内方突出部７８は、離間して配置され、後方蓋がベースハウジング３４に対して閉じられたとき、電池２２の側壁に係合するように適合されている。内方突出部７８は、電池２２の側壁に力を加えるように適合され、ブリスター材料に対して更に電池２２を付勢して、各電地２２の回転の防止を更に支援する。内方突出部７８に、各電池２２への係合をもたらすことにより、ブリスター材料又は電池のサイズ、及びブリスター材料の撓みが少し変動しても、電池２２の側壁への一貫した摩擦係合が保証される。内方突出部７８は、離間して配置され、ラベル上の電池テスターと干渉しないように配置されるのが好ましい。
【００２１】
前方ベースハウジング３４の上側及び下側の窪み壁７５内に形成された細長い内方突出部７６は、最上端及び最下端のポケット５２内の電池２２に当接するように適合される。突出部７６の第１のペアは、ヒンジ４０の若干下に位置し、ブリスターの後方蓋３６が、ブリスターのベースハウジング３４を閉じて固定されたときに発生するブリスター壁の外方への湾曲を打ち消す。また、ヒンジ４０の反対側端部の下側側壁は、突出部の第１のペアに対向する細長い内方突出部７６の第２のペアを含む。図面には、全部で４つの細長い内方突出部７６が示されているが、１つ又はそれ以上の細長い内方突出部７６が、ヒンジ４０の下の前方ベースハウジング３４の側壁７４内に形成することができ、またそれと共に反対側の側壁内に、１つ又はそれ以上の突出部７６を形成することができることを理解されたい。
【００２２】
図６を参照すると、ポリマーブリスター商品容器３０が、複数の単４電池２２’のような筒状電池を、此処で開示されたような、ディスプレイカードと再閉止可能なブリスター商品容器との組合せで使用するため、別の実施例によって包装したものが示されている。同様に、ブリスター包装３０’は、前方ベースハウジング３４内に形成され、ヒンジで連結された後方蓋３６によって閉止可能な複数のポケット５２を含む。各ポケット５２は、電池２２と係合するために両端部に位置する内方突出部７２及び７４と、同様に、上側及び下側側壁７５内に形成された内方突出部７６と、及び後方蓋３６の後方区画ポケット内に形成された内方突出部７８とを備える。単４電池２２’は、個別の電池２２’を支持する長さ及び幅を備えるように構成されたポケット５２内に同様に配置される。
【００２３】
図７及び図８を参照すると、各電池２２’は、内方突出部７２及び７４が、電池２２’の両端部に係合するように、ブリスター商品容器３０内に固定して保持される。内方突出部７２は、外側リム近傍位置で正極端子に接触し、ラベル８６の端部に当接するのが好ましい。内方突出部７４は、電池２２’の環状リム８４と、負極端子の中央部分との間に形成された、環状凹部８５に係合する。電池２２’をブリスター材料に対して所定位置に保持し、更に電池２２’の回転が防止されるために、凹部８５内での内方突出部７４の係合は、該突出部をリム８４に当接させるようにする。更に、後方蓋３６内に形成された内方突出部７８は、ブリスター容器が閉じられたときに、電池２２’の側壁に係合する。更に、上側及び下側側壁７５内に形成された内方凹部７６は、電池２２の両端部に同様に接触し、ヒンジ４０でのスプリング様の力に対するポリマーブリスターの外方への湾曲を打ち消すようにする。
【００２４】
図９を参照すると、ポリマーブリスター商品容器３０”が、此処で議論されたような、製品陳列用包装１０で使用するため、複数の単２電池２２’のような筒状電池を包装したものが示されている。ポリマーブリスター商品容器３０”は、２つの単２電池２２”を収容する。ブリスター容器３０”は、一体形成されたヒンジ４０によって、後方区画ハウジング４２に回動自在に連結された２つのポケット５２を有する前方ベースハウジング３４を同様に含む。ポケット５２の各々は、両端部で電池２２”の正極及び負極端子に係合するための内方突出部７２及び７４を含む。更に、内方突出部７６及び７８が、電池２２”の側壁に接触するように同様に形成されている。
【００２５】
図１０及び図１１を参照すると、ラベル８６の端部に隣接した場所で、電池２２”の正極端子に接触する内方突出部７２が示されている。ラベル８６は、桟部を形成し、その上に内方突出部７２が係合可能となり、ブリスター材料に対し、電池２２”を保持することができる。反対側の端部で、内方突出部７４は、外側リム８４に隣接した、電池２２”の凹部８５に係合する。凹部８５内の内方突出部７４の係合は、リム８４に接触し、その結果、電池２２”は、ブリスター材料に押し付けられて、更に電池の回転が防止される。更に、内方突出部７８が、後方蓋内に形成され、内方突出部７６が、上側及び下側側壁７５内に形成されて、更に、此処で論じられたように電池２２”の回転が防止される。
【００２６】
図１２を参照すると、ディスプレイカード１１２の前面にヒートシールされたブリスター容器１３０を有する、製品陳列用包装１１０の他の実施形態が示されている。ブリスター容器１３０は、１つ又はそれ以上の、アルカリ電池のような筒状製品を各々収容するためのポケットを有する区画を形成しており、図１ないし図１１に示される実施形態で説明されたような、前方ベースハウジング内のポケット内の電池２２の係合と同様の締まりばめをもたらす。しかしながら、ブリスター包装１１０は、ディスプレイカード１１２が、区画を閉鎖するように、ディスプレイカード１１２に対する周縁フランジに沿ってヒートシールされている。ディスプレイカード１１２は、電池２２に接触することができ、電池２２の回転を更に阻止する。
【００２７】
更に、ポケット内部での製品の回転を更に防止するために、摩擦面が、ブリスターポケット５２の内側表面に使用することができることを理解されたい。代替として、又は追加として、ブリスター包装１０のポケット５２内での回転を防止するため、電池２２上に摩擦面を形成することができる。従って、摩擦面を加えることにより、本発明の回転防止の特徴が更に強化される。
【００２８】
従って、本発明のブリスター包装１０又は１１０は、消費者に販売する製品を有利に陳列し、同時に包装内での製品の回転を防止する。結果として、製品上に見られる特徴を目立つように陳列するために望ましい方向に製品を向けることができ、消費者によって購入される前に、出荷や取扱いを通じてその方向を維持することができる。此処で開示された実施形態は、電池の包装を提供しているが、種々の他のブリスター包装が、中に収容される筒状又は丸い製品の回転を防止するために、本発明を使用できることを理解されたい。更に、１つのブリスター包装に収容された筒状又は丸い製品の数は、製品の寸法及び包装の全体の寸法に応じて変更することができる。代表的なブリスター包装は２、４、６、８、１０、１２、１４、１６、１８又は２０の製品を収容する。
【図面の簡単な説明】
【図１】
本発明の一実施形態による、電池陳列ブリスター包装の前面斜視図である。
【図２】
ディスプレイカードからブリスター容器を取除いて示した包装の分解図である。
【図３】
開放状態で示されたブリスター容器の斜視図である。
【図４】
図１のＩＶ−ＩＶ線を通過して得られたブリスター包装の断面図である。
【図５】
図２のＶ−Ｖ線を通過して得られたブリスター包装の断面図である。
【図６】
ディスプレイカードなしに開放状態で示された、第２の実施形態によるブリスター容器の斜視図である。
【図７】
図６のＶＩ−ＶＩ線を通過して得られた、閉じた位置で示されたブリスター容器の断面図である。
【図８】
図６のＶＩＩＩ−ＶＩＩＩ線を通過して得られた、更に閉じた位置で示されたブリスター容器の断面図である。
【図９】
ディスプレイカードなしに開放状態で示された、第３の実施形態によるブリスター容器の斜視図である。
【図１０】
図９のＸ−Ｘ線を通過して得られた、更に閉じた位置で示された、ブリスター容器の断面図である。
【図１１】
図９のＸＩ−ＸＩ線を通過して得られた、更に閉じた位置示されたブリスター容器の断面図である。
【図１２】
本発明の他の実施形態による、電池陳列ブリスター包装の前面斜視図である。
【国際公開パンフレット】
2004501037.tif 000003
2004501037.tif 000004
2004501037.tif 000005
2004501037.tif 000006
2004501037.tif 000007
2004501037.tif 000008
2004501037.tif 000009
2004501037.tif 000010
2004501037.tif 000011
2004501037.tif 000012
2004501037.tif 000013
2004501037.tif 000014
2004501037.tif 000015
2004501037.tif 000016
2004501037.tif 000017
2004501037.tif 000018
2004501037.tif 000019
2004501037.tif 000020
2004501037.tif 000021
2004501037.tif 000022
2004501037.tif 000023
2004501037.tif 000024
2004501037.tif 000025
2004501037.tif 000026
2004501037.tif 000027
2004501037.tif 000028
2004501037.tif 000029
【国際公開パンフレット（コレクトバージョン）】
2004501037.tif 000030
2004501037.tif 000031
【国際調査報告】
2004501037.tif 000032
2004501037.tif 000033
2004501037.tif 000034